(57)【要約】【課題】  測定における誤検出を防ぐと共に、正確な足長寸法を容易に測定することのできる測定装置を提供する。【解決手段】  被検者の足長寸法を測定する測定装置１００であって、被検者の足を載置する載置台１１と、前記載置台１１上に設けられ、被検者の踵を固定する踵受け部材１０と、前記載置台１１上に設けられ、足の載置方向の目印となるガイド線１１ａと、被検者の爪先前方から爪先方向に沿って移動自在に設けられ、載置台１１上における被検者の爪先を検出する爪先検出手段（カーソルセンサ１２）と、前記爪先検出手段の検出結果に基づき被検者の足長寸法を求める寸法算出手段（マイクロコンピュータ３３）と、前記寸法算出手段による算出結果を表示する表示手段（表示部３０）と、を備える。【選択図】  図１
2006116003.tif 000002
【特許請求の範囲】
【請求項１】
被検者の足長寸法を測定する測定装置であって、
被検者の足を載置する載置台と、
前記載置台上に設けられ、被検者の踵を固定する踵受け部材と、
前記載置台上に設けられ、足の載置方向の目印となるガイド線と、
被検者の爪先前方から爪先方向に沿って移動自在に設けられ、載置台上における被検者の爪先を検出する爪先検出手段と、
前記爪先検出手段の検出結果に基づき被検者の足長寸法を求める寸法算出手段と、
前記寸法算出手段による算出結果を表示する表示手段と、
を備えることを特徴とする測定装置。
【請求項２】
前記爪先検出手段は、前記載置台の上方に対向して設けられた第一の発光素子と第一の受光素子とを有し、
前記第一の発光素子と前記第一の受光素子は、第一の発光素子から発光した光を第一の受光素子により受光すると共に被検者の爪先前方から爪先に向けて移動し、第一の発光素子から発光した光が被検者の爪先により遮られ、第一の受光素子が受光しないことにより被検者の爪先を検出することを特徴とする請求項１に記載された測定装置。
【請求項３】
前記爪先検出手段は、第一の接触式センサを備え、
前記第一の接触式センサは、被検者の爪先前方から爪先に向けて移動し、被検者の爪先に接触することにより爪先を検出することを特徴とする請求項１に記載された測定装置。
【請求項４】
被検者の爪先前方に設けられた収容部材を備え、
前記爪先検出手段は、非作動時において、前記収容部材に収容されることを特徴とする請求項１乃至請求項３のいずれかに記載された測定装置。
【請求項５】
前記踵受け部材は、被検者の踵が固定されたことを検出する踵検出手段を備え、
前記踵検出手段により被検者の踵が検出されないと、前記爪先検出手段は検出動作をせず、前記収容部材に収容されるよう制御されることを特徴とする請求項４に記載された測定装置。
【請求項６】
前記踵検出手段は、対向して設けられた第二の発光素子と第二の受光素子とを有し、
前記第二の発光素子と前記第二の受光素子は、第二の発光素子から発光した光を第二の受光素子により受光するよう構成され、第二の発光素子から発光した光が被検者の踵により遮られ、第二の受光素子が受光しないことにより被検者の踵を検出することを特徴とする請求項５に記載された測定装置。
【請求項７】
前記踵検出手段は、第二の接触式センサを備え、
前記第二の接触式センサは、被検者の踵に接触することにより被検者の踵を検出することを特徴とする請求項５に記載された測定装置。
【請求項８】
前記表示手段は、被検者の足を載置する載置台とは別体であって、かつ分離して形成されていることを特徴とする請求項１乃至請求項７のいずれかに記載された測定装置。
【発明の詳細な説明】
【技術分野】
【０００１】
本発明は、被検者の足の寸法を測定する測定装置に関する。
【背景技術】
【０００２】
従来、足長（爪先から踵までの長さ）の寸法を測定する方法として、例えば、巻尺を被検者の足に直接当て測定する方法や、目盛りが記された板状の計測板上に足を載せ、目視によりその長さを求める方法等がある。
このような方法によれば、測定者によらず、おおよその長さを容易に測ることができるが、例えば靴のオーダーメイドなど精密な測定結果が要求される場合には、その測定には熟練を要し、また、測定者が異なると測定結果が大きく異なる等の課題があった。
このような課題に対し、変位センサを用いてその移動量を求め、その結果等から自動的に演算し、足長等の寸法を求めるものが知られている。なお、そのような測定装置については、特許文献１に記載されている。
【特許文献１】特公平６−８５７２４号公報
【発明の開示】
【発明が解決しようとする課題】
【０００３】
この特許文献１に示されるような従来の変位センサを用いた測定装置においては、例えば足長寸法の測定の場合、変位センサが被測定体である足の爪先から踵までの移動量を検出し、それを基に演算を行うようになされている。
しかしながら、そのような方法によれば、例えば被測定体である足が測定中に動くと、変位センサが誤った移動量を検出し、測定結果に大きく誤差が生じることがあった。
【０００４】
本発明は、前記したような事情の下になされたものであり、測定における誤検出を防ぐと共に、正確な足長寸法を容易に測定することのできる測定装置を提供することを目的とする。
【課題を解決するための手段】
【０００５】
前記課題を解決するためになされた、本発明にかかる測定装置は、被検者の足長寸法を測定する測定装置であって、被検者の足を載置する載置台と、前記載置台上に設けられ、被検者の踵を固定する踵受け部材と、前記載置台上に設けられ、足の載置方向の目印となるガイド線と、被検者の爪先前方から爪先方向に沿って移動自在に設けられ、載置台上における被検者の爪先を検出する爪先検出手段と、前記爪先検出手段の検出結果に基づき被検者の足長寸法を求める寸法算出手段と、前記寸法算出手段による算出結果を表示する表示手段と、を備えることに特徴を有する。
このように構成することにより、被検者は容易かつ正確に足の位置決めをすることができる。また、測定において、爪先検出手段が自動的に移動と検出を行い、その移動結果に基づき寸法算出手段が足長寸法を算出し、表示手段により表示することで、正確な測定結果を容易に知ることができる。
【０００６】
また、前記爪先検出手段は、前記載置台の上方に対向して設けられた第一の発光素子と第一の受光素子とを有し、前記第一の発光素子と前記第一の受光素子は、第一の発光素子から発光した光を第一の受光素子により受光すると共に被検者の爪先前方から爪先に向けて移動し、第一の発光素子から発光した光が被検者の爪先により遮られ、第一の受光素子が受光しないことにより被検者の爪先を検出することが望ましい。
このように構成すれば、非接触式の爪先検出センサを構築することができる。
【０００７】
また、前記爪先検出手段は、第一の接触式センサを備え、前記第一の接触式センサは、被検者の爪先前方から爪先に向けて移動し、被検者の爪先に接触することにより爪先を検出してもよい。
このように構成すれば、接触式の爪先検出センサを構築することができる。
【０００８】
また、被検者の爪先前方に設けられた収容部材を備え、前記爪先検出手段は、非作動時において、前記収容部材に収容されることが望ましい。
このようにすれば、爪先検出手段が有する精密機器であるセンサを保護することができる。
【０００９】
また、前記踵受け部材は、被検者の踵が固定されたことを検出する踵検出手段を備え、前記踵検出手段により被検者の踵が検出されないと、前記爪先検出手段は検出動作をせず、前記収容部材に収容されるよう制御されることが望ましい。
このように構成すれば、測定中に踵が踵受け部材から離れると、自動的に測定を中止することができる。したがって、載置台に載置した足がずれることにより生じる誤った検出結果、測定結果を防ぐことができる。
【００１０】
また、前記踵検出手段は、対向して設けられた第二の発光素子と第二の受光素子とを有し、前記第二の発光素子と前記第二の受光素子は、第二の発光素子から発光した光を第二の受光素子により受光するよう構成され、第二の発光素子から発光した光が被検者の踵により遮られ、第二の受光素子が受光しないことにより被検者の踵を検出することが望ましい。
このように構成すれば、非接触式の踵検出センサを構築することができる。
【００１１】
また、前記踵検出手段は、第二の接触式センサを備え、前記第二の接触式センサは、被検者の踵に接触することにより被検者の踵を検出してもよい。
このように構成すれば、接触式の踵検出センサを構築することができる。
【００１２】
また、前記表示手段は、被検者の足を載置する載置台とは別体であって、かつ分離して形成されていることが望ましい。
すなわち、表示手段が被検者の足を載置する載置台に設けられている場合、測定者が、かがみ込んでその表示を見なければならず、測定者に肉体的負担を強いることになる。
そこで前記のように、載置台と別体かつ分離して表示手段を形成することにより、測定者の肉体的負担を軽減することができる。
【発明の効果】
【００１３】
本発明によれば、測定における誤検出を防ぐと共に、正確な足長寸法を容易に測定することのできる測定装置を得ることができる。
【発明を実施するための最良の形態】
【００１４】
以下、本発明にかかる実施の形態につき、図に基づいて説明する。図１は、本発明に係る測定装置の全体を示す斜視図である。
この測定装置１００は、図１に示すように、被検者の足を載置する測定部本体１と、測定部本体１に電気的ケーブル等により接続された操作器２とにより構成される。
測定部本体１は、被検者の足を載置する載置台１１と、載置台１１上に設けられた踵受け部材１０と、載置台１１に載置される足の爪先前方から爪先に向けて移動可能に設けられたカーソルセンサ１２（爪先検出手段）とを備える。なお、本実施の形態において、爪先とは、複数の指先のうち、一番先端の指先（例えば第二指の先端）を指すものとする。
また、載置台１１上において被検者の爪先前方には収容部材としてのカーソルカバー１３が設けられ、カーソルセンサ１２の非作動時には、カーソルセンサ１２はカーソルカバー１３に収容されるように構成されている。
【００１５】
載置台１１には、被検者の足を載置する際の目印、指標となるガイド線１１ａが記され、前記踵受け部材１０は、ガイド線１１ａ上に設けられる。この踵受け部材１０において、被検者の踵に臨む面には、踵センサ２１（踵検出手段）として、発光素子２１ａ（第二の発光素子）と、発光素子２１ａから発光された受光して検出する受光素子２１ｂ（第二の受光素子）とが、左右対称に対向して設けられている。
この構成において、踵受け部材１０に被検者が踵をしっかりと当てると、発光部２１ａから発光された光が踵に遮られ、受光部２１ｂに届かない状態となる。すなわち、その状態において踵センサ２１は、被検者の踵を検出する。
【００１６】
また、前記カーソルセンサ１２は、発光素子１２ａ（第一の発光素子）と受光素子１２ｂ（第一の受光素子）とを有し、それら素子は載置台１１の側方から上方に向けて突出すると共に、載置台１１を挟んで発光側と受光側とが対向して設けられている。この構成において、発光素子１２ａから発光された光は、載置台１１上を通り受光素子１２ｂにおいて受光される。
【００１７】
また、前記したようにカーソルセンサ１２は、載置台１１に載置される足の爪先前方から爪先に向けて移動可能に設けられており、測定開始時においては、発光素子１２ａ及び受光素子１２ｂは、カーソルカバー１３に収容された状態での待機位置、すなわち爪先前方から、爪先に向かって所定速度で移動を開始する。
したがって、測定時にカーソルセンサ１２が移動開始し、載置台１１上に載せられた足の爪先により、発光素子１２ａから発光された光が遮られ、受光素子１２ｂに届かない状態となると、カーソルセンサ１２は、被検者の爪先を検出したものとされる。
なお、カーソルセンサ１２が被検者の爪先を検出すると、カーソルセンサ１２は移動方向を反転し、カーソルカバー１３に収容される。
【００１８】
また、前記検査部本体１の作動開始の制御は、操作器２により行われる。操作器２は、図１に示すように、電源スイッチ３１と、測定開始動作開始を指示する測定スイッチ３２と、測定結果を表示するための表示部３０とを備える。
すなわち、測定時においては、先ず電源スイッチ３１を入れることによって測定のスタンバイ状態となり、次いで測定スイッチ３２を入れることによって測定が開始されるように構成されている。
なお、表示部３０が、被検者の足を載置する載置台１１とは別体であって、かつ分離して形成されているため、測定者が、かがみ込んでその表示を見る必要がなく、測定者の肉体的負担を軽減することができる。
【００１９】
続いて、図２、図３に基づき、測定部本体１の構造についてさらに詳しく説明する。図２は、図１の測定装置が具備する測定部本体の平面・透視図である。また、図３（ａ）は図２の測定部本体のカーソルカバー１３を外した状態での正面図、図３（ｂ）は図２の測定部本体の側面図、図３（ｃ）は図２の測定部本体の背面図である。
【００２０】
図２に示すように、載置台１１の内部には、その長手方向に沿ってレール１４が敷設され、カーソルセンサ１２が、そのレール１４上を移動可能になされている。カーソルセンサ１２は、発光素子１２ａと受光素子１２ｂとの間が板部材１２ｃにより連結されており、その板部材１２ｃの下面にレール１４に対する可動部１２ｄが取り付けられている。さらに板部材１２ｃの両端には、レール１４に対する動きを安定させるために、車輪１２ｅが設けられている。
【００２１】
また、載置台１１内部には、前記カーソルセンサ１２の駆動手段として、前記板部材１２ｃに接続部材１２ｆを介して接続された回転ベルト１５と、回転ベルト１５を回転動作させるモータ１６とが設けられる。すなわち、モータ１６が駆動し、回転ベルト１５が回転動作することによりカーソルセンサ１２がレール１４上を移動するようになされている。
なお、前記したようにカーソルセンサ１２が被検者の爪先を検出すると、カーソルセンサ１２は移動方向を反転するが、その際、モータ１６の回転方向が反転することによって、回転ベルト１５の回転方向が切り替わるようになされている。
また、前記回転ベルト１５には、その変位量を検出するロータリエンコーダ１７が接続されている。すなわち、このロータリエンコーダ１７は、カーソルセンサ１２の待機位置から被検者の爪先を検出した位置までの移動量を検出し、出力する。
【００２２】
また、載置台１１内部には、カーソルセンサ１２の移動範囲を制限するためのリミットスイッチ１８が設けられている。このリミットスイッチ１８は、測定部本体１に固定されたマイクロスイッチ１８ａ、１８ｂと、カーソルセンサ１２の板部材１２ｃの下面に取り付けられたドッグ１８ｃとで構成される。
マイクロスイッチ１８ａ、１８ｂは、カーソルセンサ１２の移動動作を停止させるために設けられており、それぞれのスイッチがオン状態となることにより、モータ１６の回転動作が停止するようになされている。
【００２３】
また、ドッグ１８ｃは、マイクロスイッチ１８ａ、１８ｂのオン／オフ状態を切り替えるために設けられている。
すなわち、カーソルセンサ１２がカーソルカバー１３内に収容されているときにはドッグ１８ｃがマイクロスイッチ１８ａと接触することによりマイクロスイッチ１８ａをオン状態（カーソルセンサ１２の移動停止状態）とする。
一方、カーソルセンサ１２が測定のために移動し、被検者の足長が小さすぎてカーソルセンサ１２の測定範囲を超えた場合や、カーソルセンサ１２が動作しなかった場合等においては、ドッグ１８ｃがマイクロスイッチ１８ｂと接触することによりマイクロスイッチ１８ｂをオン状態（カーソルセンサ１２の移動停止状態）とするようになされている。
したがって、カーソルセンサ１２の移動範囲は、マイクロスイッチ１８ａとマイクロスイッチ１８ｂが設置された範囲に制限される。
【００２４】
また、カーソルセンサ１２の発光素子１２ａは、図３（ａ）に示すように高さ方向に３つの発光素子を並べた構成となっており、受光素子１２ｂは、前記３つの発光素子に対応して、３つの受光素子を並べた構成となっている。これにより被検者の爪先高さの個人差による違いに対応して、爪先を検出できるよう構成されている。
【００２５】
また、図３（ｂ）に示すように、載置台１１の側面にはスリット１１ｂが形成されており、カーソルセンサ１２の発光素子１２ａと受光素子１２ｂは、このスリット１１ｂから載置台１１の外部に出され、載置台１１に対して水平方向に移動するようになされている。
【００２６】
また、踵受け部材１０の踵センサ２１における発光素子２１ａは、図３（ｃ）に示すように３つの発光素子を高さ方向に並べた構成となっており、受光部２１ｂは、前記３つの発光素子に対応して３つの受光素子を並べた構成となっている。これにより、被検者の踵形状の個人差による違いに対応し、あらゆる形状の踵を検出できるように構成されている。
【００２７】
続いて、測定装置１００の動作制御について説明する。図２に示すように載置台１１内部には、各種信号の入出力機能及び演算機能等を備える制御手段としてのマイクロコンピュータ３３が設けられている。このマイクロコンピュータ３３には、図４の回路ブロック図に示すように、前記カーソルセンサ１２、踵センサ２１、操作器２、モータ１６（駆動部）、ロータリエンコーダ１７、リミットスイッチ１８が接続されている。すなわち、操作器２の操作スイッチ（電源スイッチ３１、測定スイッチ３２）の指示により作動開始し、マイクロコンピュータ３３の制御により、それぞれが連動して動作するように構成されている。
【００２８】
このような構成の測定装置１００を用いて、被検者の足長寸法を測定するには、先ず、操作器２の電源スイッチ３１をオン状態にする。
次いで、図５（ａ）に示すように踵受け部材１０に被検者の足Ｆの踵をしっかりと当て、さらに図５（ｂ）に示すように足Ｆの第二指（人差し指）がガイド線１１ａ上に乗るように足Ｆを載置台１１上に載置する。
【００２９】
その状態で操作器２の測定スイッチ３２を押すと、マイクロコンピュータ３３がモータ１６に駆動指示し、モータ１６が駆動することにより回転ベルト１５が回転開始し、カーソルセンサ１２がカーソルカバー１３の中から移動する。
ここで、カーソルセンサ１２の発光素子１２ａから発光された光が受光素子１２ｂにより受光される状態でカーソル１２が移動し、測定が開始される。
【００３０】
そして、発光素子１２ａから発光された光が被検者の爪先により遮られると、カーソルセンサ１２は検出信号をマイクロコンピュータ３３に出力し、マイクロコンピュータ３３は寸法算出手段として機能し、そのときのロータリエンコーダ１７の出力、すなわち、カーソルセンサ１２の移動距離を基に、被検者の足長寸法を算出する。
また、算出された足長寸法は、マイクロコンピュータ３３の制御により操作器２の表示部３０に表示される。
また、カーソルセンサ１２による被検者の爪先の検出後、カーソルセンサ１２は移動方向を反転し、再びカーソルカバー１３内に収容される。
【００３１】
なお、被検者の足が小さすぎて測定できない場合や、カーソルセンサ１２等に故障が生じた場合には、ドッグ１８ｃによりマイクロスイッチ１８ｂがオン状態になされ、カーソルセンサ１２の移動が停止される。これにより、カーソルセンサ１２の破損事故等を防止し、また、モータ１６に過剰な負荷を与えることがないため、故障の発生を抑制することができる。
また、測定途中において、被検者が踵を踵受け部材１０から離すと、踵センサ２１がそれを検出し、マイクロコンピュータ３３の制御により測定が中止される。すなわち、カーソルセンサ１２の移動が中止され、カーソルカバー１３内に戻るよう制御される。
【００３２】
以上のように、本発明に係る実施の形態によれば、被検者の足の踵を固定する踵受け部材１０と、足の載置方向の目印となるガイド線１１ａとを設けることにより、容易に測定時における足の位置決めをすることができる。また、測定において、爪先の検出を行うカーソルセンサ１２が自動的に移動と検出を行い、その移動結果に基づきマイクロコンピュータ３３が足長寸法を算出し、表示部３０に表示することにより、正確な測定結果を容易に知ることができる。
【００３３】
また、測定中に踵が踵受け部材１０から離れると、自動的に測定を中止するように制御される。したがって、載置台１１に載置した足がずれることにより生じる誤った検出結果、測定結果を防ぐことができる。
また、非測定時においては、カーソルセンサ１２はカーソルカバー１３内に収容される。これにより、カーソルセンサ１２が有する精密機器であるセンサを保護することができる。
【００３４】
なお、前記した実施の形態において、カーソルセンサ１２は、被検者の爪先を検出するセンサとして、発光素子１２ａ及び受光素子１２ｂを有する構成としたが、これに限らず、爪先を検出可能なセンサであれば他の構成でもよい。例えば、発光素子１２ａ及び受光素子１２ｂに替え、カーソルセンサ１２が接触式センサ（第一の接触式センサ）を有する構成とし、カーソルセンサ１２が被検者の爪先前方から爪先に向けて移動する際、接触式センサが爪先に接触することにより被検者の爪先を検出するようにしてもよい。
【００３５】
また、前記実施の形態において、踵センサ２１は、被検者の踵を検出するセンサとして、発光素子２１ａ及び受光素子２１ｂを有する構成としたが、これに限らず、踵を検出可能なセンサであれば他の構成でもよい。例えば、発光素子２１ａ及び受光素子２１ｂに替え、踵センサ２１が接触式センサ（第二の接触式センサ）を有する構成とし、被検者が踵を踵受け部材１０に押し当てる際、接触式センサが踵に接触することにより被検者の踵を検出するようにしてもよい。
【産業上の利用可能性】
【００３６】
本発明にかかる測定装置は、例えば靴のオーダーメイドや、正確な足長寸法を必要とする業務用途等に好適である。
【図面の簡単な説明】
【００３７】
【図１】図１は、本発明に係る測定装置の全体を示す斜視図である。
【図２】図２は、図１の測定装置が具備する測定部本体の平面・透視図である。
【図３】図３は、図２の測定部本体のカーソルカバーを外した状態での正面図、図２の測定部本体の側面図、図２の測定部本体の背面図である。
【図４】図４は、図１の測定装置の回路ブロック図である。
【図５】図５は、図２の測定部本体の載置台に、被検者が足を載置する手順を説明するための図である。
【符号の説明】
【００３８】
１        測定器本体
２        操作器
１０      踵受け部材
１１      載置台
１１ａ    ガイド線
１２      カーソルセンサ（爪先検出手段）
１２ａ    発光素子
１２ｂ    受光素子
１３      カーソルカバー（収容部材）
１４      レール
１５      回転ベルト
１６      モータ
１７      ロータリエンコーダ
１８      リミットスイッチ
１８ａ    マイクロスイッチ
１８ｂ    マイクロスイッチ
１８ｃ    ドッグ
２１      踵センサ（踵検出手段）
２１ａ    発光素子
２１ｂ    受光素子
３０      表示部（表示手段）
３１      電源スイッチ
３２      測定スイッチ
３３      マイクロコンピュータ（寸法算出手段）
１００    測定装置
【図１】
2006116003.tif 000003
【図２】
2006116003.tif 000004
【図３】
2006116003.tif 000005
【図４】
2006116003.tif 000006
【図５】
2006116003.tif 000007